(57)【要約】      （修正有）【課題】血液がスムーズに流れることが可能な血液回路を提供する。【解決手段】圧力測定部１００を有する血液回路は、圧力測定装置と接続される圧力測定部を有する血液回路であって、血液回路は、チャンバ１０２を規定するハウジング１０１と、チャンバに設けられる可撓性膜１２０とを備え、ハウジングは、チャンバに連通する入口ポート１１１および出口ポートを有し、入口ポート、チャンバおよび出口ポートの順に血液が流れ、チャンバの血液の圧力に応じて可撓性膜が変位し、入口ポートまたは出口ポート付近でハウジングは湾曲しており、可撓性膜が取り付けられるハウジングの取付面１１９において、入口ポートまたは出口ポート付近での曲率半径が最少である。【選択図】図４
2019162437.tif 000002
【特許請求の範囲】
【請求項１】
圧力測定装置と接続される圧力測定部を有する血液回路であって、
前記血液回路は、
チャンバを規定するハウジングと、
前記チャンバに設けられる可撓性膜とを備え、
前記ハウジングは、前記チャンバに連通する入口および出口ポートを有し、
前記入口ポート、前記チャンバおよび前記出口ポートの順に流体が流れ、
前記チャンバの流体の圧力に応じて前記可撓性膜が変位し、
前記入口または前記出口ポート付近で前記ハウジングは湾曲しており、前記可撓性膜が取り付けられる前記ハウジングの取付面において、前記入口または出口ポート付近での曲率半径が最小となる、圧力測定部を有する血液回路。
【請求項２】
前記ハウジングは、前記入口ポートおよび出口ポートを有する下部ハウジングと、前記下部ハウジングに嵌め合わせられる上部ハウジングとを有する、請求項１に記載の圧力測定部を有する血液回路。
【請求項３】
前記下部ハウジングには血液が流れる血液室が設けられ、前記上部ハウジングには、圧力を測定するための空気室が設けられ、前記血液室と前記空気室とは前記可撓性膜で仕切られている、請求項２に記載の圧力測定部を有する血液回路。
【請求項４】
前記入口または出口ポートを含むように前記取付面と平行な面で前記下部ハウジングを切断したときに前記入口または出口ポート付近で切断面の曲率半径が最小である、請求項２または３に記載の圧力測定部を有する血液回路。
【請求項５】
前記入口および出口ポートならびに取付面から離れるにつれて前記下部ハウジングの切断面の断面積は小さくなる、請求項４に記載の圧力測定部を有する血液回路。
【請求項６】
前記入口および出口ポートから離れるにつれて前記下部ハウジングの切断面の曲率半径が大きくなる、請求項４または５に記載の圧力測定部を有する血圧回路。
【請求項７】
前記取付面と平行な面で前記上部ハウジングを切断したときに切断面は楕円形状を有する、請求項２または３に記載の圧力測定部を有する血液回路。
【請求項８】
前記楕円の長軸は前記入口および出口ポートを結ぶ線と平行である、請求項７に記載の圧力測定部を有する血液回路。
【請求項９】
前記取付面から離れるにつれて前記上部ハウジングの切断面の断面積は小さくなる、請求項７または８に記載の圧力測定部を有する血液回路。
【請求項１０】
前記長軸から離れるにつれて前記上部ハウジングの切断面の曲率半径が大きくなる、請求項７から９のいずれか１項に記載の圧力測定部を有する血圧回路。
【請求項１１】
前記取付面と平行な面で前記可撓性膜を切断したときに切断面は楕円形状を有する、請求項２または３に記載の圧力測定部を有する血液回路。
【請求項１２】
前記楕円の長軸は前記入口および出口ポートを結ぶ線と平行である、請求項１１に記載の圧力測定部を有する血液回路。
【請求項１３】
前記取付面から離れるにつれて前記可撓性膜の切断面の断面積は小さくなる、請求項１１または１２に記載の圧力測定部を有する血液回路。
【請求項１４】
前記長軸から離れるにつれて前記可撓性膜の切断面の曲率半径が大きくなる、請求項１１から１３のいずれか１項に記載の圧力測定部を有する血圧回路。
【請求項１５】
前記ハウジングにおいて前記入口ポートおよび出口ポートを結ぶ線に直交し、かつ、前記取付面に直交する前記ハウジングの切断面では、前記取付面に平行な幅方向寸法が前記取付面に直交する厚み方向寸法よりも大きい、請求項１から１４のいずれか１項に記載の圧力測定部を有する血液回路。
【発明の詳細な説明】
【技術分野】
【０００１】
この発明は、圧力測定部を有する血液回路に関して、より特定的には、可撓性膜を利用した圧力測定部を有する血液回路に関するものである。
【背景技術】
【０００２】
従来、血液回路は、たとえば米国特許第８０９２４１４号明細書において開示されている。
【先行技術文献】
【特許文献】
【０００３】
【特許文献１】米国特許第８０９２４１４号明細書
【発明の概要】
【発明が解決しようとする課題】
【０００４】
特許文献１に記載の血液回路には、圧力検知チャンバが設けられる。圧力検知チャンバは、可撓性のダイヤフラムを有しており、ダイヤフラムはチャンバ内を２つの空間に分割する。流体管路は、一方の空間に連通し、一方の空間は他方の空間から隔離されている。他方の空間が圧力測定装置と接続される。
【０００５】
このように構成されたチャンバでは、血液が滞留し血栓が生じやすいという問題があった。
【０００６】
そこで、この発明は上記の問題点を解決するためになされたものであり、血液がスムーズに流れることが可能な血液回路を提供することを目的とする。
【課題を解決するための手段】
【０００７】
この発明に従った圧力測定部を有する血液回路は、圧力測定装置と接続される圧力測定部を有する血液回路であって、血液回路は、チャンバを規定するハウジングと、チャンバに設けられる可撓性膜とを備え、ハウジングは、チャンバに連通する入口および出口ポートを有し、入口ポート、チャンバおよび出口ポートの順に血液が流れ、チャンバの血液の圧力に応じて可撓性膜が変位し、入口または出口ポート付近でハウジングは湾曲しており、可撓性膜が取り付けられるハウジングの取付面において、入口または出口ポート付近での曲率半径が最小となる。
【０００８】
このように構成された血液経路では、入口ポート付近での曲率半径が最小であれば、入口ポートからハウジング内に血液が流入した際の血流の拡散幅が小さくなるため、血液の滞留が生じにくい。また、出口ポート付近での曲率半径が最小である場合は、出口ポート付近での横幅が小さいため、血液の滞留が生じにくい。
【０００９】
好ましくは、ハウジングは、入口ポートおよび出口ポートを有する下部ハウジングと、下部ハウジングに嵌め合わせられる上部ハウジングとを有する。
【００１０】
好ましくは、下部ハウジングには血液が流れる血液室が設けられ、上部ハウジングには、圧力を測定するための空気室が設けられ、血液室と空気室とは可撓性膜で仕切られている。
【００１１】
好ましくは、入口または出口ポートを含むように取付面と平行な面で下部ハウジングを切断したときに入口または出口ポート付近で切断面の曲率半径が最小である。
【００１２】
好ましくは、入口および出口ポートならびに取付面から離れるにつれて下部ハウジングの切断面の断面積は小さくなる。
【００１３】
好ましくは、入口および出口ポートから離れるにつれて下部ハウジングの切断面の曲率半径が大きくなる。
【００１４】
好ましくは、取付面と平行な面で上部ハウジングを切断したときに切断面は楕円形状を有する。
【００１５】
好ましくは、楕円の長軸は入口および出口ポートを結ぶ線と平行である。
好ましくは、取付面から離れるにつれて上部ハウジングの切断面の断面積は小さくなる。
【００１６】
好ましくは、長軸から離れるにつれて上部ハウジングの切断面の曲率半径が大きくなる。
【００１７】
好ましくは、取付面と平行な面で可撓性膜を切断したときに切断面は楕円形状を有する。
【００１８】
好ましくは、楕円の長軸は入口および出口ポートを結ぶ線と平行である。
好ましくは、取付面から離れるにつれて可撓性膜の切断面の断面積は小さくなる。
【００１９】
好ましくは、長軸から離れるにつれて可撓性膜の切断面の曲率半径が大きくなる。
好ましくは、ハウジングにおいて入口ポートおよび出口ポートを結ぶ線に直交し、かつ、取付面に直交するハウジングの切断面では、取付面に平行な幅方向寸法が取付面に直交する厚み方向寸法よりも大きい。
【図面の簡単な説明】
【００２０】
【図１】この発明の実施の形態に従った圧力測定部が設けられる血液回路の模式図である。
【図２】実施の形態１に従った圧力測定部の正面図である。
【図３】実施の形態１に従った圧力測定部のハウジングの正面図である。
【図４】（Ａ）は図３中のＩＶＡ−ＩＶＡ線に沿った断面図であり、（Ｂ）は図４（Ａ）中のＩＶＢ−ＩＶＢ線に沿った断面図であり、（Ｃ）は図４（Ａ）中のＩＶＣ−ＩＶＣ線に沿った断面図である。
【図５】実施の形態１に従った圧力測定部のハウジングの側面図である。
【図６】実施の形態１に従った圧力測定部のハウジングの平面図である。
【図７】図６中のＶＩＩ−ＶＩＩ線に沿った断面図である。
【図８】実施の形態１に従った圧力測定部の上部ハウジングの平面図である。
【図９】図８中のＩＸ−ＩＸ線に沿った断面図である。
【図１０】実施の形態１に従った圧力測定部の上部ハウジングの正面図である。
【図１１】図１０中のＸＩ−ＸＩ線に沿った断面図である。
【図１２】実施の形態１に従った圧力測定部の上部ハウジングの底面図である。
【図１３】実施の形態１に従った圧力測定部の上部ハウジングの側面図である。
【図１４】実施の形態１に従った圧力測定部の可撓性膜の平面図である。
【図１５】図１４中のＸＶ−ＸＶ線に沿った断面図である。
【図１６】実施の形態１に従った圧力測定部の可撓性膜の正面図である。
【図１７】図１６中のＸＶＩＩ−ＸＶＩＩ線に沿った断面図である。
【図１８】実施の形態１に従った圧力測定部の可撓性膜の底面図である。
【図１９】実施の形態１に従った圧力測定部の可撓性膜の側面図である。
【図２０】実施の形態１に従った圧力測定部の下部ハウジングの平面図である。
【図２１】図２０中のＸＸＩ−ＸＸＩ線に沿った断面図である。
【図２２】実施の形態１に従った圧力測定部の下部ハウジングの正面図である。
【図２３】図２２中のＸＸＩＩＩ−ＸＸＩＩＩ線に沿った断面図である。
【図２４】実施の形態１に従った圧力測定部の下部ハウジングの底面図である。
【図２５】実施の形態１に従った圧力測定部の下部ハウジングの側面図である。
【図２６】実施の形態１に従った圧力測定部の分解斜視図である。
【図２７】実施の形態２に従った圧力測定部の正面図である。
【図２８】実施の形態３に従った圧力測定部の正面図である。
【図２９】実施の形態４に従った圧力測定部の正面図である。
【図３０】実施の形態４に従った圧力測定部の平面図である。
【図３１】実施の形態４に従った圧力測定部の側面図である。
【図３２】実施の形態４に従った圧力測定部の収納状態を示す正面図である。
【図３３】実施の形態５に従った圧力測定部の正面図である。
【図３４】図３３中のＸＸＸＩＶ−ＸＸＸＩＶ線に沿った断面図である。
【図３５】実施の形態５に従った圧力測定部の側面図である。
【図３６】実施の形態５に従った圧力測定部の平面図である。
【図３７】実施の形態６に従った圧力測定部の正面図である。
【図３８】実施の形態６に従った圧力測定部の側面図である。
【図３９】実施の形態６に従った圧力測定部の平面図である。
【図４０】図３９中のＸＬ−ＸＬ線に沿った断面図である。
【図４１】複数のラインが取り付けられた実施の形態６に従った圧力測定部の正面図である。
【図４２】実施の形態７に従った圧力測定部の正面図である。
【図４３】実施の形態７に従った圧力測定部の平面図である。
【図４４】図４３中のＸＬＩＶ−ＸＬＩＶ線に沿った断面図である。
【図４５】図４４中のＸＬＶで囲んだ部分を拡大して示す断面図である。
【図４６】実施例に従った圧力測定部における血液の流れを示す図である。
【図４７】比較例に従った圧力測定部における血液の流れを示す図である。
【発明を実施するための形態】
【００２１】
（実施の形態１）
図１を参照して、血液回路は、血液を患者から取り出すための血液導入口１、血液導入口１に接続される脱血圧測定部位２、脱血圧測定部位２の血圧を測定する圧力トランスデューサー３、脱血圧測定部位２から排出された血液を加圧する血液ポンプ４、血液ポンプ４の下流側に位置するＰＤ圧測定部位５、ＰＤ(Pre-dialyzer)圧測定部位５の血圧を測定する圧力トランスデューサー６、ＰＤ圧測定部位５から排出された血液を、ダイアライザー血液導入口７ａを経て受け入れるダイアライザー８、ダイアライザー８のダイアライザー血液導出口７ｂの下流側に位置する静脈圧測定部位１１、静脈圧測定部位１１の血圧を測定する圧力トランスデューサー１２、血液を患者に戻すための血液導出口１３を有する。
【００２２】
ダイアライザー８は、透析液導出口９ａおよび透析液導入口９ｂを経由して透析装置本体１０と接続されており、透析液を用いて血液中の老廃物の除去、血液中の水分調整を行う。
【００２３】
図２を参照して、圧力測定部１００は、図１における脱血圧測定部位２、ＰＤ(Pre-dialyzer)圧測定部位５、および静脈圧測定部位１１のいずれかに設けられる。圧力測定部１００は、ハウジング１０１と、ハウジング１０１に接続される血液ライン２１０，２２０とを備える。
【００２４】
ハウジング１０１は、下部ハウジング１１０と、下部ハウジング１１０に嵌合する上部ハウジング１３０とを備える。下部ハウジング１１０には、血液が導入される入口ポート１１１と、血液が排出される出口ポート１１２とが設けられている。入口ポート１１１には血液ライン２１０が、出口ポート１１２には血液ライン２２０が各々挿入されている。
【００２５】
上部ハウジング１３０には圧力測定ポート１４０が設けられており、圧力測定ポート１４０には圧力モニターライン２４０が接続されている。圧力モニターライン２４０の先端のコネクタ２４１は圧力トランスデューサーに接続される。圧力モニターライン２４０にはクリップ２４２が取り付けられており、圧力モニターライン２４０を閉塞させることが可能である。
【００２６】
図３を参照して、下部ハウジング１１０に設けられる入口ポート１１１および出口ポート１１２は同一直線上に設けられており、入口ポート１１１から出口ポート１１２へ向かってスムーズに血液が流れることができる。
【００２７】
ドーム形状の上部ハウジング１３０は、入口ポート１１１から出口ポート１１２に向かう方向にそって長く、非球面形状である。上部ハウジング１３０には、入口ポート１１１から出口ポート１１２へ向かう方向と直交するように延在する圧力測定ポート１４０が設けられている。圧力測定ポート１４０が入口ポート１１１および出口ポート１１２と非平行、かつ、取付面１１９と非平行である。
【００２８】
図４（Ａ）を参照して、下部ハウジング１１０下面には溝１１８が設けられており、溝１１８は入口ポート１１１から出口ポート１１２まで延びている。下部ハウジング１１０は、下に凸の形状である。
【００２９】
下部ハウジング１１０の取付面１１９には、可撓性膜１２０が当接している。可撓性膜１２０は、ハウジングにより構成されるチャンバ１０２を２つの空間に分割する。チャンバ１０２は血液が通過する血液室１５０と、圧力測定用の空気が存在する空気室１６０とに分割される。
【００３０】
血液室１５０には、入口ポート１１１から血液が導入され、血液室１５０の血液は出口ポート１１２から排出される。可撓性膜１２０は弾性を有しており下部ハウジング１１０に近づく方向に変形可能であるため、血液室１５０の体積は可変である。
【００３１】
空気室１６０は、図４（Ａ）では可撓性膜１２０と上部ハウジング１３０との間にわずかな隙間に形成されている。可撓性膜１２０は、下部ハウジング１１０へ近づく方向に変形可能であるため、空気室１６０の体積も可変である。
【００３２】
図４（Ｂ）を参照して、取付面１１９に平行な面で上部ハウジング１３０および可撓性膜１２０を切断すれば、切断面は楕円１３０ａおよび１２０ａとなる。この楕円１３０ａ，１２０ａの長軸は、入口ポート１１１から出口ポート１１２へ向かう線１１１ａと平行である。
【００３３】
図４（Ｃ）を参照して、取付面１１９に平行な面で下部ハウジング１１０を切断すれば、切断面は楕円１１０ａとなる。この楕円１１０ａの長軸は、入口ポート１１１から出口ポート１１２へ向かう線１１１ａと平行である。
【００３４】
図５から７を参照して、ハウジング１０１は、ほぼ回転楕円体であるが、厚み方向と比較して横幅方向が大きい。具体的には、図５においてハウジング１０１の圧力測定ポート１４０の延びる方向に沿った寸法よりも、鍔部１３８の延びる方向の寸法が大きい。
【００３５】
圧力測定ポート１４０は、空気室１６０に連通しているが、血液室１５０には連通していない。血液室１５０内の血液の流れに応じて可撓性膜１２０が変位して空気室１６０の体積が変化すると、この体積変化はトランスデューサーに伝達されるため、トランスデューサーにより血圧を測定することが可能である。
【００３６】
図６においてハウジング１０１の平面は楕円を構成している。圧力測定ポート１４０は楕円の長軸上で、かつ、楕円の端部近傍に設けられる。楕円の端部は楕円の中央と比較してハウジング１０１の強度が高いため、ハウジング１０１にヒビが発生することを防止できる。また、可撓性膜の動きは端部から生じるので、圧力測定ポート１４０は入り口ポート側に配置されることで、より良い精度で圧力を測定することができる。
【００３７】
図８から１３を参照して、上部ハウジング１３０は、その上部がほぼ回転楕円体であり、下部が鍔部１３８である。上部ハウジング１３０は、上に凸の曲面形状であり、これにより、平面形状である場合と比較して高強度とすることができる。この実施の形態では上部ハウジング１３０に空気室が設けられるが、上部ハウジング１３０に空気室が設けられなくてもよい。空気室が設けられない場合には、可撓性膜１２０に直接センサーが接触して血圧を測定することができる。鍔部１３８は下部ハウジング１１０よりも大径であり、下部ハウジング１１０を覆うように構成されている。
【００３８】
図１４から１９を参照して、可撓性膜１２０は取り付け面と平行な断面が楕円形のドーム形状であり、下部が係合部１２９である。係合部１２９は、取付面１１９に係合する。可撓性膜１２０をドーム形状とすることで、可撓性膜１２０で囲まれた血液室を血液がスムーズに流れることができる。可撓性膜１２０は、血液室の血液の流れに応じて変形する。これにより、空気室の体積が変化する。この例では可撓性膜１２０は上に凸の形状であるが、可撓性膜１２０が下に凸の形状であってもよい。さらに、可撓性膜１２０が平面形状であってもよい。
【００３９】
可撓性膜１２０が上に凸の場合には陰圧を測定するのに適した仕様となり、可撓性膜１２０が下に凸の場合には陽圧を測定するのに適した仕様となる。本実施例では、血液回路上において、ポンプ装置により加圧されるポンピングチューブ部分の上流側に、可撓性膜１２０が上に凸の圧力測定部が設けられ、ポンピングチューブ部分の下流側に、可撓性膜１２０が下に凸の圧力測定部を設けられる。なお、本発明における可撓性膜は取付面と平行な面の入り口ポートまたは出口ポート付近の曲率半径が最小となるように形成されているため、血流の拡散幅が少なく、それ故、圧力損失が従来より低減されている。また、血流の拡散幅が大きいと、横方向端部に滞留が起きやすいが、本発明における可撓性膜は拡散幅が小さいため、滞留も生じにくい構成となっている。なお、これは可撓性膜１２０が上に凸の場合も下に凸の場合も同様の効果が言える。
【００４０】
図２０から２６を参照して、下部ハウジング１１０には、入口ポート１１１から出口ポート１１２まで延在する溝１１８が設けられている。下部ハウジング１１０からは入口ポート１１１および出口ポート１１２が突出している。溝１１８は、可撓性膜１２０が血液の流れを遮ることを防止するためのものである。可撓性膜１２０が下部ハウジング１１０の内周面に密着したとしても、可撓性膜１２０と溝１１８との間に隙間が生じる。この隙間を血液が流れるため、血液の滞留を防止することができる。血液が滞留すると血小板が破壊されるため血液の滞留を抑制する必要がある。
【００４１】
図２１で示されるように、入口ポート１１１には隔壁１１１ｗが設けられており、隔壁１１１ｗには貫通穴１１１ｈが設けられている。入口ポート１１１と血液室とは貫通穴１１１ｈにより連通している。出口ポート１１２には隔壁１１２ｗが設けられており、隔壁１１２ｗには貫通穴１１２ｈが設けられている。出口ポート１１２と血液室とは貫通穴１１２ｈにより連通している。
【００４２】
下部ハウジング１１０の下面（底面）には、複数のリブが設けられていてもよい。このリブは、下部ハウジング１１０の強度を高めて下部ハウジング１１０の姿勢を安定させる働きを有する。
【００４３】
圧力測定部１００を有する血液回路は、圧力測定装置と接続される圧力測定部１００を有する血液回路であって、血液回路は、チャンバ１０２を規定するハウジング１０１と、チャンバ１０２に設けられる可撓性膜１２０とを備え、ハウジング１０１は、チャンバ１０２に連通する入口ポート１１１および出口ポート１１２を有し、入口ポート１１１、チャンバ１０２および出口ポート１１２の順に血液が流れ、チャンバ１０２の血液の圧力に応じて可撓性膜１２０が変位し、入口ポート１１１または出口ポート１１２付近でハウジング１０１内表面は湾曲しており、可撓性膜１２０が取り付けられるハウジングの取付面１１９において、入口ポート１１１または出口ポート１１２付近での曲率半径Ｒ１が最小となる（図２０参照）。なお、曲率半径は、溝１１８以外で評価する。
【００４４】
このように構成された血液経路では、入口ポート１１１または出口ポート１１２付近での曲率半径Ｒ１が最小であり、血液の流れを妨げることがなく、圧力損失を低減とすることができる。具体的には、入口ポート１１１付近での曲率半径Ｒ１が最小であると、入り口ポートからハウジング内に血液が流入した際に、拡散幅が小さいため乱流が生じにくく、そのため圧力損失を低減とすることができる。また、出口ポート１１２付近での曲率半径Ｒ１が最小であると、血液が壁面に当たった際の圧力損失が曲率半径Ｒ１が大きい場合と比べて少ないため、圧力損失を低減とすることができる。
【００４５】
ハウジング１０１は、入口ポート１１１および出口ポート１１２を有する下部ハウジング１１０と、下部ハウジング１１０に嵌め合わせられる上部ハウジング１３０とを有する。ハウジング１０１が上部ハウジング１３０と下部ハウジング１１０の分割構造であるため、ハウジング１０１内に可撓性膜１２０を組み付けやすくなる。
【００４６】
下部ハウジング１１０には血液が流れる血液室１５０が設けられ、上部ハウジング１３０には、圧力を測定するための空気室１６０が設けられ、血液室１５０と空気室１６０とは可撓性膜１２０で仕切られている。空気室１６０とトランスデューサーとを接続することで、血圧を容易に測定することが可能となる。
【００４７】
入口ポート１１１または出口ポート１１２を含むように取付面１１９と平行な面で下部ハウジング１１０を切断したときに入口ポート１１１または出口ポート１１２付近で切断面の曲率半径Ｒ３が最小である（図４（Ｃ））。取付面１１９以外であっても入口ポート１１１または出口ポート１１２付近において曲率半径が最小であるため、この部分での血液の流れを妨げることがない。
【００４８】
入口ポート１１１および出口ポート１１２ならびに取付面１１９から離れるにつれて下部ハウジング１１０の切断面の断面積は小さくなる。これにより、下部に近づくほど下部ハウジング１１０の体積が小さくなり、下部ハウジング１１０の底部に血液がたまることを抑制できる。
【００４９】
入口ポート１１１および出口ポート１１２から離れるにつれて下部ハウジング１１０の切断面の曲率半径が大きくなる。下部ハウジング１１０中央での曲率半径が大きくなるため、下部ハウジング１１０の中央部において血液の流れを阻害しない。
【００５０】
取付面１１９と平行な面で上部ハウジング１３０を切断したときに切断面は楕円形状を有する（図４Ｂ）。楕円の長軸は入口ポート１１１および出口ポート１１２を結ぶ線１１１ａと平行である。楕円の長軸が入口ポート１１１および出口ポート１１２を結ぶ線１１１ａと平行であるため、血液は楕円の長軸に沿って流れる。その結果、血液の流れを阻害しない。
【００５１】
取付面１１９から離れるにつれて上部ハウジングの切断面の断面積は小さくなる。これにより、上部に近づくほど上部ハウジング１３０の体積が小さくなり、上部ハウジング１３０の頂部に血液がたまることを抑制できる。
【００５２】
長軸から離れるにつれて上部ハウジング１３０の切断面の曲率半径が大きくなる。上部ハウジング１３０中央での曲率半径が大きくなるため、上部ハウジング１３０の中央部において血液の流れを阻害しない。
【００５３】
取付面１１９と平行な面で可撓性膜１２０を切断したときに切断面は楕円形状を有する。楕円の長軸は入口および出口ポートを結ぶ線１１１ａと平行である。楕円の長軸が入口ポート１１１および出口ポート１１２を結ぶ線１１１ａと平行であるため、血液は楕円の長軸に沿って流れる。その結果、血液の流れを阻害しない。
【００５４】
取付面１１９から離れるにつれて可撓性膜１２０の切断面の断面積は小さくなる。これにより、上部または下部に近づくほど可撓性膜１２０の体積が小さくなり、可撓性膜１２０に血液がたまることを抑制できる。
【００５５】
長軸から離れるにつれて可撓性膜１２０の切断面の曲率半径が大きくなる。可撓性膜１２０中央での曲率半径が大きくなるため、可撓性膜１２０の中央部において血液の流れを阻害しない。
【００５６】
好ましくは、ハウジング１０１において入口ポート１１１および出口ポート１１２を結ぶ線に直交し、かつ、取付面１１９に直交するハウジング１０１の切断面は、取付面１１９に平行な幅方向が取付面に直交する厚み方向によりも大きい（図４（Ａ））。ハウジング１０１は横方向に偏平形状となるため、ハウジング１０１の上部および下部に血液が滞留することを抑制できる。
【００５７】
（実施の形態２）
図２７を参照して、実施の形態２に従った圧力測定部１００では液面調整ライン２５０が圧力モニターライン２４０に接続されており、圧力モニターライン２４０内の液面を調整することができる。液面調整ライン２５０にはクリップ２５２およびコネクタ２５１が設けられている。
【００５８】
（実施の形態３）
図２８を参照して、実施の形態３に従った圧力測定部１００では上部ハウジング１３０に液面調整ポート１４１が設けられている。液面調整ライン２５０が液面調整ポート１４１に接続されており、圧力モニターライン２４０内の液面を調整することができる。液面調整ライン２５０にはクリップ２５２およびコネクタ２５１が設けられている。
【００５９】
（実施の形態４）
図２９から３２を参照して、実施の形態４に従った圧力測定部１００では、圧力測定ポート１４０が入口ポート１１１および出口ポート１１２と非平行、かつ、取付面と平行である。圧力測定ポート１４０と入口ポート１１１および出口ポート１１２とのなす角度は９０°であるが、この角度は限定されるものではなく、０°を超えていればよい。
【００６０】
図３２で示すように、血液ライン２１０に圧力モニターライン２４０を巻きつけることができる。これにより、圧力モニターライン２４０が邪魔にならない。
【００６１】
（実施の形態５）
図３３から３６を参照して、実施の形態５に従った圧力測定部１００では、入口ポート１１１に隣接するように注入ポート１１５が設けられている。注入ポート１１５には、たとえば抗凝固薬注入ラインまたは補液ラインが接続されて薬液が供給される。この場合、ハウジング１０１内で血液に薬液が混入される。
【００６２】
なお、この例では入口ポート１１１側に注入ポート１１５が設けられているが、出口ポート１１２側に注入ポート１１５が設けられていてもよい。
【００６３】
（実施の形態６）
図３７から４１を参照して、実施の形態６に従った圧力測定部１００では、圧力測定ポート１４０が入口ポート１１１および出口ポート１１２と平行、かつ、取付面と平行である。なお、この実施の形態では入口ポート１１１側に圧力測定ポート１４０が設けられているが、出口ポート１１２側に圧力測定ポート１４０が設けられていてもよい。
【００６４】
このように構成されると圧力モニターライン２４０がメインチューブである血液ライン２１０と平行となるため、包装時圧力モニターライン２４０が折れ曲がることがなく、圧力モニターライン２４０と血液ライン２１０とを一緒に巻くことができる。
【００６５】
（実施の形態７）
図４２から４５を参照して、実施の形態７に従った圧力測定部１００では、上部ハウジング１３０にリブ１４５が設けられることで、空間１４６が確保される。リブ１４５は圧力測定ポート１４０近傍に設けられる。これにより可撓性膜１２０が上部ハウジング１３０に張り付くことを防止できる。
【００６６】
（実施例）
図４６を参照して、実施例に従った圧力測定部１００は、実施の形態１に従った圧力測定部１００と同じ形状である。図４７を参照して、比較例に従った圧力測定部１００は円形の平面形状を有している。図４６および４７では、入口ポート１１１から血液をハウジング１０１内で導入して出口ポート１１２から排出する場合の血液の流れのシミュレーション結果を示している。流線３５０が血液の流れの経路を示す。
【００６７】
図４６と図４７とを対比すると、図４６ではハウジング１０１から出口ポート１１２へ血液がスムーズに流れており、渦が少ないのに対して、図４７ではハウジング１０１から出口ポート１１２へ血液がスムーズに流れておらず、渦が多い。その結果、本発明品では圧力損失が低減されていることがわかる。
【００６８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１  血液導入口、２  脱血圧測定部位、３，６，１２  圧力トランスデューサー、４  血液ポンプ、５  圧測定部位、７ａ  ダイアライザー血液導入口、７ｂ  ダイアライザー血液導出口、８  ダイアライザー、９ａ  透析液導出口、９ｂ  透析液導入口、１０  透析装置本体、１１  静脈圧測定部位、１２  圧力トランスデューサー、１３  血液導出口、１００  圧力測定部、１０１  ハウジング、１０２  チャンバ、１１０  下部ハウジング、１１０ａ，１２０ａ，１３０ａ  楕円、１１１  入口ポート、１１１ｈ，１１２ｈ  貫通穴、１１１ｗ，１１２ｗ  隔壁、１１２  出口ポート、１１５  注入ポート、１１８  溝、１１９  取付面、１２０  可撓性膜、１２９  係合部、１３０  上部ハウジング、１３８  鍔部、１４０  圧力測定ポート、１４１  液面調整ポート、１４５  リブ、１４６  空間、１５０  血液室、１６０  空気室、２１０，２２０  血液ライン、２４０  圧力モニターライン、２４１，２５１  コネクタ、２４２，２５２  クリップ、２５０  液面調整ライン。
【図１】
2019162437.tif 000003
【図２】
2019162437.tif 000004
【図３】
2019162437.tif 000005
【図４】
2019162437.tif 000006
【図５】
2019162437.tif 000007
【図６】
2019162437.tif 000008
【図７】
2019162437.tif 000009
【図８】
2019162437.tif 000010
【図９】
2019162437.tif 000011
【図１０】
2019162437.tif 000012
【図１１】
2019162437.tif 000013
【図１２】
2019162437.tif 000014
【図１３】
2019162437.tif 000015
【図１４】
2019162437.tif 000016
【図１５】
2019162437.tif 000017
【図１６】
2019162437.tif 000018
【図１７】
2019162437.tif 000019
【図１８】
2019162437.tif 000020
【図１９】
2019162437.tif 000021
【図２０】
2019162437.tif 000022
【図２１】
2019162437.tif 000023
【図２２】
2019162437.tif 000024
【図２３】
2019162437.tif 000025
【図２４】
2019162437.tif 000026
【図２５】
2019162437.tif 000027
【図２６】
2019162437.tif 000028
【図２７】
2019162437.tif 000029
【図２８】
2019162437.tif 000030
【図２９】
2019162437.tif 000031
【図３０】
2019162437.tif 000032
【図３１】
2019162437.tif 000033
【図３２】
2019162437.tif 000034
【図３３】
2019162437.tif 000035
【図３４】
2019162437.tif 000036
【図３５】
2019162437.tif 000037
【図３６】
2019162437.tif 000038
【図３７】
2019162437.tif 000039
【図３８】
2019162437.tif 000040
【図３９】
2019162437.tif 000041
【図４０】
2019162437.tif 000042
【図４１】
2019162437.tif 000043
【図４２】
2019162437.tif 000044
【図４３】
2019162437.tif 000045
【図４４】
2019162437.tif 000046
【図４５】
2019162437.tif 000047
【図４６】
2019162437.tif 000048
【図４７】
2019162437.tif 000049
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
圧力測定装置と接続される圧力測定部を有する血液回路であって、
前記血液回路は、
チャンバを規定する上部および下部ハウジングと、
前記チャンバに設けられる可撓性膜とを備え、
前記下部ハウジングには血液が流れる血液室が設けられ、前記上部ハウジングには、圧力を測定するための空気室が設けられ、前記血液室と前記空気室とは前記可撓性膜で仕切られており、前記血液室および前記空気室が前記チャンバを構成し、
前記下部ハウジングは、前記血液室に連通する入口および出口ポートを有し、
前記入口ポート、前記血液室および前記出口ポートの順に血液が流れ、
前記血液室の血液の圧力に応じて前記可撓性膜が変位し、
前記上部ハウジングは湾曲しており、
前記上部ハウジングには圧力測定ポートが設けられており、前記圧力測定ポートは前記上部ハウジングを貫通しており、前記圧力測定ポートが設けられる前記上部ハウジングの内面にリブが設けられて前記可撓性膜が前記上部ハウジングの内面に張り付くことを防止する、圧力測定部を有する血液回路。